(57)【特許請求の範囲】
【請求項１】
物体のホログラム像を生成するように構成された装置であって、
それぞれが、異なる領域の波長に対応する光ビームを生成するように構成された複数の光源と、
前記複数の光源から前記光ビームを受信し、前記受信された光ビームの１つを選択的に通過させ、選択された光ビームを提供するように構成されたシャッターと、
前記選択された光ビームを第１の光ビームおよび第２の光ビームに分割するように構成されたビームスプリッタであって、前記ビームスプリッタは、前記第１の光ビームの少なくとも部分が物体光ビームを生成するために前記物体によって散乱するように、前記物体に前記第１の光ビームを、光学デバイスを介することなく直接照射するようにさらに構成されるビームスプリッタと、
前記ビームスプリッタから前記第２の光ビームを受信して、前記第２の光ビームの少なくとも部分を参照光ビームとして戻すように構成されたミラーユニットと、
前記参照光ビームおよび前記物体光ビームを受信するように構成され、前記参照光ビームおよび前記物体光ビームによって生じる干渉像を検出するようにさらに構成されたイメージセンサアレイであって、前記イメージセンサアレイは、前記物体を実質的に取り囲む、シリンダまたは多角形角柱のいずれかの形状で構成されたアレイ状のセンサを含むイメージセンサアレイと、
前記複数の光源のそれぞれと関連する画像信号に前記検出された像を変換するように構成されたビデオ信号生成器ユニットと、を含む装置。
【請求項２】
記憶装置に前記画像信号を記録するように構成されたビデオ信号レコーダーユニットをさらに含む、請求項１に記載の装置。
【請求項３】
ホログラム像再生装置に前記画像信号を伝送するように構成されたビデオ信号送信機ユニットをさらに含む、請求項１に記載の装置。
【請求項４】
前記イメージセンサアレイが電荷結合素子（ＣＣＤ）アレイを含む、請求項１に記載の装置。
【請求項５】
前記イメージセンサアレイが２次元センサアレイを含む、請求項１に記載の装置。
【請求項６】
前記ビームスプリッタがガラス基板に形成されるアルミニウム層を含む、請求項１に記載の装置。
【請求項７】
前記複数の光源が、赤いレーザ光源、緑のレーザ光源、および青いレーザ光源を含む、請求項１に記載の装置。
【請求項８】
前記シャッターおよび前記ビデオ信号生成器ユニットの１つまたは複数の動作を制御するように構成されたコントローラをさらに含む、請求項１に記載の装置。
【請求項９】
前記コントローラが、前記装置の動作を制御するために制御プログラムを記憶するように構成される、請求項８に記載の装置。
【請求項１０】
物体のホログラム像を生成しかつ再生する方法であって、
異なる領域の波長に対応する複数の光ビームを、複数の光源によって生成することであって、前記複数の光ビームは、再生光ビームを含むことと、
前記複数の光源から前記複数の光ビームをシャッターにおいて受信することと、
スイッチング動作を前記シャッターによって実施して、前記複数の光ビームの１つを前記シャッターに選択的に通過させることと、
前記シャッターから照射される前記光ビームをビームスプリッタによって前記光ビームの第１の部分および第２の部分に、前記物体のホログラム像を再生するために前記光ビームの前記第１の部分が前記物体を、光学デバイスを介することなく直接照射するように、分割することであって、前記ビームスプリッタはガラス基板に形成されるアルミニウム層を含むことと、
参照ビームとして、前記光ビームの前記第２の部分を、ミラーユニットによって受信して戻すことと、
前記参照ビームと、前記物体によって散乱する前記光ビームの前記第１の部分との間の干渉によって生じる干渉像を、イメージセンサアレイによって検出することであって、前記イメージセンサアレイは、前記物体を実質的に取り囲む、シリンダまたは多角形角柱のいずれかの形状で構成されるアレイ状のセンサを含むことと、
前記検出された干渉像を、ビデオ信号生成器ユニットによって画像信号に変換することと、を含む方法。
【請求項１１】
前記画像信号を記憶装置にビデオ信号レコーダーユニットによって記録すること、をさらに含む請求項１０に記載の方法。
【請求項１２】
前記画像信号をホログラム像再生装置にビデオ信号送信機ユニットによって伝送すること、をさらに含む請求項１０に記載の方法。
【請求項１３】
前記方法は繰り返し実施され、前記方法の各繰返しの周期は約１から５ミリ秒までの範囲にある、請求項１０に記載の方法。
【発明の詳細な説明】
【背景技術】
【０００１】
本明細書に示される場合を除き、このセクションにおいて説明される手法は、本出願における請求項に対する従来技術ではなく、このセクションに包含されることによっては従来技術であると認められるものではない。
【０００２】
ホログラム技術は、物体の像を表しているホログラムを記録し、記録されたホログラムから像を再生するために、用いることができる。従来のホログラム技術の例として、伝送タイプのホログラム技術は、例えば、ＣＣＤ（電荷結合デバイス）カメラによって、送信側の二次元または三次元の物体のホログラムを生成するために用いることができる。ホログラムは、ビデオ信号の形式で受信側デバイス（例えば、ホログラムテレビジョンセット）に伝送できる。受信側デバイスにおいて、ホログラムは、受信されたビデオ信号に含まれる縞パターンに基づいて、光学回折限界の次数の分解能を有する画素で構成された高解像度液晶表示（ＬＣＤ）パネルに再現され、表示されることができる。特に、ホログラムは、表示パネルの一方の側に表示される縞パターン上に、干渉を容易に生じさせる再生光を照射することによって、例えば、レーザ光源から放射されるコヒーレント光を照射することによって、形成できる。縞パターンに再生光を照射すると、ユーザが、表示パネルの他方の側から放射されるホログラム像として回折光を観察できるように、縞パターンに回折が生じる。
【０００３】
カラーホログラム像を再現するために、受信側デバイスは、カラービデオ信号に基づいた時分割方式で、ＬＣＤパネル上に個々のカラー（例えば、赤、緑、および青）の干渉縞パターンを再現することによってカラー像を取得するように構成されてもよい。そのようなデバイスは、いわゆるフィールドシーケンシャルカラーシステムを使用してもよい。フィールドシーケンシャルカラーシステムにおいてカラー像を取得するために、個々のカラーのフィールドは、フィールドにつきわずか１〜５ミリ秒に対応する、きわめて高速度で切替えられなければならない。しかしながら、本開示は、そのような従来のＬＣＤ（例えば、ネマチック液晶を使用する）の応答速度が通常は２、３ミリ秒であると認識し、それは、フィールドシーケンシャルカラーシステムにおいて用いられるような高速度において、スイッチング動作を実施することに好適ではないだろう。
【発明の概要】
【発明が解決しようとする課題】
【０００４】
カラーホログラム像を生成し、カラーホログラム像を再生する技術が、全体として説明される。
【課題を解決するための手段】
【０００５】
本明細書に説明されるさまざまな例示的な装置は、物体のホログラム像を生成するように構成することができる。例示的な装置は、複数の光源、シャッター、ビームスプリッタ、ミラーユニット、イメージセンサアレイ、およびビデオ信号生成器ユニットを含んでもよい。光源のそれぞれは、異なる領域の波長に対応する光ビームを生成するように構成されてもよい。シャッターは、複数の光源から光ビームを受信し、次に、受信された光ビームのそれぞれを選択的に通過させ、選択された光ビームを提供するように構成されてもよい。ビームスプリッタは、選択された光ビームを第１の光ビームおよび第２の光ビームに分割するように構成されてもよい。さらに、ビームスプリッタは、物体光ビームを生成するために第１の光ビームの少なくとも部分が物体によって散乱するように、第１の光ビームを物体に照射するようにさらに構成されてもよい。ミラーユニットは、ビームスプリッタから第２の光ビームを受信し、参照光ビームを生成するために第２の光ビームの少なくとも部分を反射させるように構成されてもよい。イメージセンサアレイは、参照光ビームおよび物体光ビームを受信するように構成されてもよく、さらに、参照光ビームおよび物体光ビームによって生じる干渉像を検出するように構成されてもよい。ビデオ信号生成器ユニットは、検出された像を、複数の光源のそれぞれと関連する画像信号に変換するように構成されてもよい。
【０００６】
いくつかの例において、物体のホログラム像を再生するように適合することができる、本明細書に説明される任意の例示的な装置などのホログラム像再生装置が説明される。装置は、物体のホログラムを表す入力信号を受信するように構成された受信機ユニットを利用するように適合されてもよい。装置は、入力信号に応じた虚像光ビームを生成するように構成された虚像光源、および虚像光ビームを受信して、スクリーンに照射される走査ビームを生成するために虚像光ビームを反射させるように構成された走査ミラーを利用するように適合されてもよい。スクリーンは、フォトクロミック材料を塗布され、走査ミラーから走査ビームを受信するように構成されてもよい。さらに、スクリーンは、走査ビームに応じて調整され、物体のホログラムをスクリーンに形成するのに効果的となりうる可視光透過特性を含んでもよい。装置は、複数の再生光源およびシャッターを利用するようにさらに適合されてもよい。再生光源のそれぞれは、異なる領域の波長に対応する再生光ビームを生成するように構成されてもよい。シャッターは、複数の再生光源から再生光ビームを受信し、物体のホログラム像を再生するために、再生光ビームの１つをシャッターに選択的に通過させてスクリーンに照射するように構成されてもよい。
【０００７】
いくつかの例において、物体のホログラム像を生成する方法が説明される。例示的な方法は、異なる領域の波長に対応する複数の光ビームを、複数の光源によって生成することを含んでもよい。スイッチング動作は、複数の光ビームの１つをシャッターに選択的に通過させるように、シャッターによって実施されてもよい。シャッターから照射された光ビームは、光ビームの第１の部分が物体に照射されるように、ビームスプリッタによって光ビームの第１の部分および第２の部分に分割されてもよい。光ビームの第２の部分は、参照ビームを生成するために、ミラーユニットによって受信され、反射されることができる。いくつかの方法は、参照ビームと、物体によって散乱した光ビームの第１の部分との間の干渉によって生じる干渉像を、イメージセンサアレイによって検出することをさらに含んでもよい。検出された干渉像は、ビデオ信号生成器ユニットによって、画像信号に変換されてもよい。
【０００８】
いくつかの例において、物体のホログラム像を再生する方法が説明される。例示的な方法は、物体のホログラムを表す入力信号を、受信機ユニットによって受信することを含んでもよい。虚像光ビームは、入力信号に応じて、虚像光源によって生成されてもよい。虚像光ビームは、走査ビームを生成するために、走査ミラーによって受信され、反射されてもよい。走査ミラーからの走査ビームは、フォトクロミック材料を塗布されたスクリーンによって受信されてもよく、物体のホログラムは、走査ビームに応じて、スクリーンの可視光透過特性における変化の結果として、スクリーン上に形成されてもよい。異なる領域の波長に対応する再生光ビームは、複数の再生光源のそれぞれによって生成されてもよい。いくつかの方法は、複数の再生光源から再生光ビームを、シャッターによって受信すること、および、物体のホログラム像を再生するために、再生光ビームの１つをシャッターに選択的に通過させてスクリーンに照射することをさらに含んでもよい。
【０００９】
いくつかの例において、プロセッサに物体のホログラム像を生成させるプログラムを記憶するように適合された、コンピュータ可読記憶媒体が説明される。本明細書にさらに説明されるように、プロセッサはさまざまな特徴を含んでもよい。プログラムは、異なる領域の波長に対応する複数の光ビームを、複数の光源によって生成し、複数の光ビームの１つをシャッターに選択的に通過させるスイッチング動作を、シャッターによって実施し、かつ、光ビームの第１の部分が物体を照射するように、シャッターから照射された光ビームを、ビームスプリッタによって光ビームの第１の部分および第２の部分に分割するための１つまたは複数の命令を含んでもよい。プログラムは、参照ビームを生成するために、光ビームの第２の部分を、ミラーユニットによって受信して反射し、参照ビームと、物体によって散乱した光ビームの第１の部分との間の干渉によって生じた干渉像を、イメージセンサアレイによって検出し、かつ、検出された干渉像を、ビデオ信号生成器ユニットによって画像信号に変換するための１つまたは複数の命令をさらに含んでもよい。
【００１０】
いくつかの例において、プロセッサに物体のホログラム像を再生させるプログラムを記憶するように適合することができる、コンピュータ可読記憶媒体が説明される。本明細書にさらに説明されるように、プロセッサはさまざまな特徴を含んでもよい。プログラムは、物体のホログラムを表す入力信号を、受信機ユニットによって受信し、入力信号に応じた虚像ビームを、虚像光源によって生成し、かつ、走査ビームを生成するために、虚像光ビームを、走査ミラーによって受信して反射するための、１つまたは複数の命令を含んでもよい。プログラムは、フォトクロミック材料を塗布されたスクリーンによって、走査ミラーから走査ビームを受信すること、および、走査ビームに応じて、スクリーンの可視光透過特性における変化の結果として、物体のホログラムをスクリーンに形成することをさらに含んでもよい。プログラムは、異なる領域の波長に対応する再生光ビームを、複数の再生光源のそれぞれによって生成すること、および、複数の再生光源から再生光ビームを、シャッターによって受信すること、および、物体のホログラム像を再生するために、再生光ビームの１つをシャッターに選択的に通過させてスクリーンに照射することをさらに含んでもよい。
【００１１】
前述の概要は、単に説明的であり、何ら限定することを意図されていない。上記で説明された、説明的な態様、実施形態、および特徴に加えて、さらなる態様、実施形態、および特徴は、図面および次に続く詳細な説明を参照することで明らかになるだろう。
【００１２】
本開示の前述および他の特徴は、添付図面に併せて理解される、次の説明および添付の特許請求の範囲からさらに完全に明らかになるだろう。これらの図面が本開示に従って単なるいくつかの実施形態を表し、それゆえ、その範囲を限定するとみなすべきでないと理解した上で、本開示は、以下の添付図面を用いることを通して、付加的な特定性および詳細と共に説明されるだろう。
【図面の簡単な説明】
【００１３】
【図１】概略的に、説明例としてのホログラム像生成装置のブロック図を示す。
【図２】概略的に、別の説明例としてのホログラム像生成装置の透視図を示す。
【図３】概略的に、ネットワークを通してホログラム像再生装置に連結させたホログラム像生成装置を含む、説明例としてのホログラムイメージングシステムのブロック図を示す。
【図４】概略的に、説明例としてのホログラム像再生装置のブロック図を示す。
【図５】概略的に、別の説明例としてのホログラム像再生装置の透視図を示す。
【図６】概略的に、ホログラム像再生装置において使用することができる、説明例としての走査ミラーの透視図を示す。
【図７】物体のホログラム像を生成するように適合された方法の例示的なフローチャートを例示する図である。
【図８】物体のホログラム像を再生するように適合された方法の例示的なフローチャートを例示する図である。
【図９】物体のホログラム像を生成しかつ／または再生する方法を実施するように構成可能な例示的なコンピュータシステムを例示している概略ブロック図を示す。
【図１０】物体のホログラム像を生成するために利用できる、コンピュータプログラム製品を例示する図である。
【図１１】本明細書に説明される少なともいくつかの実施形態に従ってすべてが構成され、物体のホログラム像を再生するために利用できる、コンピュータプログラム製品を例示する図である。
【発明を実施するための形態】
【００１４】
次の詳細な説明において、添付図面が参照され、本明細書の一部を形成する。図面において、文脈上、他に指示がない限り、通常、類似の記号は類似の構成要素を示す。詳細な説明、図面、および請求項において説明される例示的な実施形態は、限定を意味するものではない。本明細書に提示される主題の趣旨または範囲から逸脱することなく、他の実施形態が利用されてもよく、かつ他の変更がなされてもよい。本明細書に全般に説明され、図に例示されるような本開示の態様が、幅広い種類の異なる構成において、配置され、置き換えられ、組み合わされ、分離され、かつ設計されることができ、そのすべてが本明細書で明示的に考察されることは容易に理解されるだろう。
【００１５】
通常、本開示は、とりわけ、カラーホログラム像を生成し、再生することに関連する方法、装置、システム、デバイス、およびコンピュータプログラム製品のために作成される。
【００１６】
簡単に述べると、技術は、通常、ホログラムイメージングに関連している。いくつかの例において、技術は、複数の光源、シャッター、およびイメージセンサアレイを使用して、物体のホログラム像を生成することについて説明される。光源のそれぞれは、異なる領域のそれぞれの波長を使用して、光ビームを生成するように構成される。さまざまな例において、本明細書で説明される装置は、複数の光源から光ビームを受信するためにシャッターを制御し、受信された光ビームのそれぞれを選択的に通過させ、選択された光ビームを提供するように構成されてもよい。装置は、選択された光ビームから、物体光ビームおよび参照光ビームを生成するように構成された、ビームスプリッタおよびミラーユニットをさらに含んでもよい。装置は、参照光ビームおよび物体光ビームによって生じる干渉像を検出するように構成されたイメージセンサアレイを含んでもよい。
【００１７】
図１は、本明細書に説明される少なくともいくつかの実施形態に従って構成される、説明例としてのホログラム像生成装置のブロック図を概略的に示す。図示されるように、ホログラム像生成装置１００は、複数の光源１１０ａ〜１１０ｎを有する光源ユニット１１０を含んでもよく、それぞれは、可視レーザ光ビームなどのコヒーレント光ビームを生成するように構成される。各光源のコヒーレント光ビームは、領域においてオーバーラップして、または領域においてオーバーラップせずに、のいずれかで、異なる領域の波長に対応してもよい。例示的な光源ユニット１１０は、赤いレーザ光源、緑のレーザ光源、および青いレーザ光源を含んでもよいが、多くの他の波長およびタイプの光源が考えられる。
【００１８】
いくつかの実施形態において、ホログラム像生成装置１００の光源ユニット１１０は、複数の光源１１０ａ〜１１０ｎからの光ビームを受信し、受信された光ビームのそれぞれを選択的に通過させ、選択された光ビームＬ１を提供するように構成されたシャッター１１２をさらに含んでもよい。光源ユニット１１０が、３つのカラー光源、例えば、赤いレーザ光源、緑のレーザ光源、および青いレーザ光源を含む場合において、シャッター１１２は、赤いレーザ光、緑のレーザ光、および青いレーザ光の１つを選択的に通過させる（例えば、シーケンシャルにおよび／または繰り返して作動させるシャッター１１２）ように構成されてもよい。シャッター１１２によって提供された光ビームＬ１は、ビームスプリッタ１３０に伝送されてもよい。
【００１９】
いくつかの実施形態において、ビームスプリッタ１３０は、光源ユニット１１０およびミラーユニット１４０と連携動作するように構成されてもよい。ビームスプリッタ１３０は、ガラス基板に形成されるアルミニウム層を含む任意の好適な材料を使用して、実装されてもよい。例えば、ビームスプリッタ１３０は、選択された光ビームＬ１を第１の光ビームＬ１３および第２の光ビームＬ１２に分割するように構成されてもよい。ビームスプリッタ１３０は、第１の光ビームＬ１３の少なくとも部分が物体１５０によって散乱され、物体光ビームＬ３を生成するように、第１の光ビームＬ１３が物体１５０を照射するようにさらに構成されてもよい。ビームスプリッタ１３０は、第２の光ビームＬ１２がミラーユニット１４０を照射するようにさらに構成されてもよい。ミラーユニット１４０は、物体光ビームＬ３および参照光ビームＬ２が干渉パターンをイメージセンサアレイ１６０に形成するように、参照光ビームＬ２を生成するために第２の光ビームＬ１２の少なくとも部分を反射するように構成されてもよい。
【００２０】
光ビームＬ２およびＬ３などの２つの光ビームがイメージセンサアレイ１６０の表面に到達する際に、光波は互いに交わり、干渉することができる。交わる光波によって形成される干渉パターンは、物体１５０からの場面光が、光源ユニット１１０からの本来の光源と干渉する様態を表すことができる。イメージセンサアレイ１６０のイメージセンサは、干渉パターンの像を検出し、受信するように構成されてもよい。
【００２１】
いくつかの実施形態において、ホログラム像生成装置１００は、複数の光源１１０ａ〜１１０ｎのそれぞれと関連する画像信号に、イメージセンサアレイ１６０によって検出される像を変換するように構成された、ビデオ信号生成器ユニット１８０をさらに含んでもよい。
【００２２】
いくつかの実施形態において、イメージセンサアレイ１６０は、電荷結合素子（ＣＣＤ）アレイまたは任意の他のタイプのイメージセンサを含んでもよい。さらに、イメージセンサアレイ１６０は、二次元の平面または任意の他の形状で構成されたセンサアレイを含んでもよい。例えば、イメージセンサアレイは、物体１５０を実質的に取り囲む、シリンダまたは多角形角柱の形状で構成されたアレイ状のセンサを含んでもよい。
【００２３】
いくつかの実施形態において、ホログラム像生成装置１００は、シャッター１１２およびビデオ信号生成器ユニット１８０の動作を選択的に制御するように構成されたコントローラ１７０をさらに含んでもよい。コントローラ１７０は、ホログラム像生成装置１００の動作の際にコントローラ１７０によって使用されることができる制御プログラムを記憶するように構成されてもよい。加えて、ホログラム像生成装置１００は、記憶装置（図示せず）にビデオ信号生成器ユニット１８０からの画像信号を取り込む（または記録する）ように構成された、ビデオ信号レコーダーユニット１９０を含んでもよい。
【００２４】
光源ユニット１１０が、３つのカラー光源、例えば、赤いレーザ光源、緑のレーザ光源、および青いレーザ光源を含む場合において、コントローラ１７０は、以下のようにホログラム像生成装置１００の動作を制御するように構成されてもよい。シャッター１１２は、赤いレーザ光源からの赤いレーザ光Ｌ１を（例えば、スイッチング動作を介して）選択的に通過させるように構成されてもよい。赤いレーザ光Ｌ１は、ビームスプリッタ１３０によって２つの光ビームＬ１２およびＬ１３に分割されてもよく、一方の分割された光ビームＬ１３は、物体１５０に照射され、物体１５０から散乱されて、物体光ビームＬ３を生成し、それは、イメージセンサアレイ１６０に入射することができる。他方の分割された光ビームＬ１２は、ミラーユニット１４０によって反射され、参照光ビームＬ２を生成し、それは、さらにイメージセンサアレイ１６０に入射することができる。そのとき、物体１５０のホログラムの少なくとも部分は、物体光ビームＬ３と参照光ビームＬ２との間の干渉によって生成でき（以下赤いホログラムと呼ばれる）、イメージセンサアレイ１６０に形成されることができる。さらに、ビデオ信号生成器ユニット１８０は、イメージセンサアレイ１６０に形成される赤いホログラムに基づいて、ホログラムビデオ信号の少なくとも部分を生成することができる（以下赤いホログラムビデオ信号と呼ばれる）。ビデオ信号レコーダーユニット１９０は、赤いホログラムビデオ信号を記録してもよい。
【００２５】
さらに、シャッター１１２は、緑のレーザ光源から緑のレーザ光を（例えば、作動またはスイッチング動作を介して）選択的に通過させるように構成されてもよい。物体１５０の緑のホログラムは、上記の説明と同じ様態で、イメージセンサアレイ１６０に形成されてもよい。そのとき、ビデオ信号生成器ユニット１８０は、イメージセンサアレイ１６０に形成される緑のホログラムに基づいて、緑のホログラムビデオ信号を生成することができる。ビデオ信号レコーダーユニット１９０は、緑のホログラムビデオ信号を記録してもよい（取り込んでもよい）。同様に、シャッター１１２は、青いレーザ光源からの青いレーザ光を（例えば、作動またはスイッチング動作を介して）選択的に通過させてもよく、青いホログラムビデオ信号は、イメージセンサアレイ１６０に形成される青いホログラムに基づいて、ビデオ信号生成器ユニットによって生成されてもよい。ビデオ信号レコーダーユニット１９０は、青いホログラムビデオ信号を記録するように構成されてもよい。
【００２６】
いくつかの実施形態において、３つのカラーのホログラムビデオ信号のそれぞれを生成するために上記に説明された動作は、約１から５ミリ秒までの範囲において実行されることができる。さらに、これらの動作は、ホログラム像生成装置１００がオフになるまで、繰り返し実施されることができる。上記の実施形態において、シャッター１１２は、高速度で複数の光源１１０ａ〜１１０ｎの１つを選択的に通過させるように制御できるので、ホログラム像生成装置１００は、例えば、フィールドシーケンシャルカラーシステムで、カラー立体ホログラム像を生成するために効果的に利用できる。
【００２７】
図１において、１つの光源ユニット１１０および対応するビームスプリッタ１３０およびミラーユニット１４０が、説明のために例示される。しかしながら、光源、ビームスプリッタ、およびミラーユニットの数は、それに限定されなくてもよい。いくつかの例において、光源およびビームスプリッタ（およびミラーユニット）の２つ以上の対が、所望の実装に応じて配置されてもよい。１つの例において、光源ユニット１１０からの光ビームＬ１は、間接的な経路を通ってビームスプリッタ１３０を照射するのに効果的な、少なくとも１つの付加的なミラー（図示せず）によって、反射されてもよい。別の例において、ビームスプリッタ１３０からの光ビームＬ１３は、間接的な経路からの光ビームＬ１３によって物体１５０を照射するために、少なくとも１つの付加的なミラー（図示せず）によって反射できる。さらに別の例において、ミラー１４０は取り除かれてもよく、光ビームＬ１２はイメージセンサアレイ１６０に直接入射することができる。なおさらなる例において、光ビームＬ３は、少なくとも１つの付加的なミラー（図示せず）からイメージセンサアレイ１６０において間接的に受信されることができる。ビームスプリッタ、ミラー、レンズ、等などの光学デバイスを使用する直接および間接の光経路の付加的な例は、本開示の範囲内で考察され、かつ熟考される。
【００２８】
図２は、本明細書に説明される少なくともいくつかの実施形態に従って構成される、別の説明例としてのホログラム像生成装置の透視図を概略的に示す。ホログラム像生成装置２００は、イメージセンサアレイ２６０が直方体形状で配置されることを除いて、図１に示すようなホログラム像生成装置１００と同様な構成を有する。図示されるように、イメージセンサアレイ２６０は、直方体形状の内部表面を有してもよく、イメージセンサ（例えば、ＣＣＤセンサデバイス）アレイが、配置されてもよい。代替の実施形態において、イメージセンサアレイ２６０は、円筒状または他の多角形角柱などの任意の他の好適な形状の内部表面を有してもよい。
【００２９】
図１に示されるホログラム像生成装置１００と同様に、装置２００は、複数の光源を含む光源ユニット１１０を含んでもよく、それぞれは、可視レーザ光ビームなどのコヒーレント光ビームを生成するように構成され、それぞれは、他の光源の波長との領域においてオーバーラップして、またはオーバーラップせずに、のいずれかで、異なる領域の波長に対応している。いくつかの実施形態において、光源ユニット１１０は、赤いレーザ光源、緑のレーザ光源、および青いレーザ光源を含んでもよい。
【００３０】
いくつかの実施態様において、ホログラム像生成装置２００は、複数の光源から光ビームを受信し、次に、受信された光ビームのそれぞれを選択的に通過させ、選択された光ビームＬ１を提供するように構成された、光源ユニット１１０内のシャッターをさらに含んでもよい。光源ユニット１１０内のシャッターによって提供される光ビームＬ１は、ビームスプリッタ１３０に伝送されることができる。
【００３１】
いくつかの実施形態において、ビームスプリッタ１３０は、光源ユニット１１０およびミラーユニット１４０と連携動作するように構成されてもよい。ビームスプリッタ１３０は、ガラス基板上に形成されるアルミニウム層を含む任意の好適な材料を使用して、実装されてもよい。例えば、ビームスプリッタ１３０は、光ビームＬ１を第１の光ビームＬ１３および第２の光ビームＬ１２に分割するように構成されてもよい。ビームスプリッタ１３０は、第１の光ビームＬ１３の少なくとも部分が物体光ビームＬ３を生成するために物体１５０によって散乱するように、第１の光ビームＬ１３が物体１５０を照射するようにさらに構成されてもよい。ビームスプリッタ１３０は、第２の光ビームＬ１２がミラーユニット１４０を照射するようにさらに構成されてもよい。ミラーユニット１４０は、物体光ビームＬ３および参照光ビームＬ２が干渉パターンをイメージセンサアレイ２６０に形成するように、参照光ビームＬ２を生成するために第２の光ビームＬ１２の少なくとも部分を反射するように構成されてもよい。
【００３２】
いくつかの実施形態において、ホログラム像生成装置２００は、光源ユニット１１０内の複数の光源のそれぞれと関連する画像信号に、イメージセンサアレイ２６０によって検出される像を変換するように構成された、ビデオ信号生成器ユニット（図示せず）をさらに含んでもよい。加えて、ホログラム像生成装置２００は、記憶装置にビデオ信号生成器ユニットからの画像信号を記録するように構成された、ビデオ信号レコーダーユニット（図示せず）を含んでもよい。
【００３３】
いくつかの実施形態において、複数カラーのホログラムビデオ信号（例えば、赤、緑、および青のホログラムビデオ信号）を生成するための動作は、図１に関して上記に説明されるような同様の様態でホログラム像生成装置２００によって実行されてもよい。カラーホログラムビデオ信号のそれぞれを生成するためのそのような動作は、約１から５ミリ秒までの範囲において実施されてもよく、ホログラム像生成装置２００がオフになるまで、繰り返し実施されてもよい。上記の実施形態において、シャッターは、高速度で複数の光源の１つを選択的に通過させるように制御できるので、ホログラム像生成装置２００は、例えば、フィールドシーケンシャルカラーシステムで、カラー立体ホログラム像を生成するために効果的に利用できる。
【００３４】
図２において、１つの光源ユニット１１０および対応するビームスプリッタ１３０およびミラーユニット１４０が、説明のために例示される。しかしながら、光源、ビームスプリッタ、およびミラーユニットの数は、それに限定されなくてもよい。いくつかの例において、４対の光源およびビームスプリッタ（および、ミラーユニット）は、直方体形状のイメージセンサアレイ２６０の４つの内部表面に対応して配置されてもよい。
【００３５】
いくつかの実施形態において、上記の実施形態に従ってホログラム像生成装置１００または２００によって生成された画像信号は、ローカルな記憶ユニットに記録され、かつ／またはホログラム像再生装置に伝送されてもよい。図３は、本明細書に説明される少なくともいくつかの実施形態に従って、ネットワークを通してホログラム像再生装置に連結されたホログラム像生成装置を含む、説明例としてのホログラムイメージングシステムのブロック図を概略的に示す。図示されるように、ホログラムイメージングシステム３００は、ホログラム像生成装置３１０を含んでもよく、それは、レコーダーユニット３２０および送信機ユニット３３０に連結してもよい、送信機ユニット３３０は、１つまたは複数のネットワーク３６０を通して受信機ユニット３４０に連結されてもよい。受信機ユニット３４０は、ホログラム像再生装置３５０に連結されてもよい。
【００３６】
いくつかの実施形態において、ホログラム像生成装置３１０は、図１および図２に示すようにホログラム像生成装置１００または２００と同様な構成を有してもよい。ホログラム像生成装置３１０は、図１および図２に関して上記の説明と同様な様態で画像信号を生成するように構成されてもよい。従って、生成されたデジタル画像信号は、レコーダーユニット３２０に伝送され、記録されてもよい。レコーダーユニット３２０に記録される画像信号は、送信機ユニット３３０によって読まれ、ネットワーク３６０を通って、受信機ユニット３４０またはホログラム像再生装置３５０などの遠隔装置に送信されてもよい。受信機ユニット３４０は、送信機ユニット３３０から画像信号を受信し、ホログラム像再生装置３５０に画像信号を伝送するように構成されてもよい。
【００３７】
いくつかの実施形態において、ホログラム像再生装置３５０は、受信された画像信号に基づいて物体１５０の像を再生するように構成されてもよい。図４は、本明細書に説明される、少なくともいくつかの実施形態に従って構成される、説明例としてのホログラム像再生装置のブロック図を概略的に示す。
【００３８】
図４に示すように、ホログラム像再生装置４００は、ホログラム画像信号Ｓ４１に基づいて、紫外線レーザビームまたは電子ビームなどの虚像光（virtual image light）ビームＬ４１を生成するように構成された、虚像光源４２０を含んでもよい。いくつかの実施形態において、ホログラム画像信号Ｓ４１は、受信機ユニット４５０、または図１から図３のホログラム像生成装置１００、２００、または３１０などのホログラム像生成装置から提供されてもよい。従って、生成された虚像光ビームＬ４１は、ホログラム画像信号Ｓ４１のレベルに基づいて変化することができる輝度を有してもよい。虚像光源４２０は、生成された虚像光ビームＬ４１を走査ミラー４３０に照射するように構成されてもよい。走査ミラー４３０は、虚像光ビームを反射し、スクリーン４６０に照射される走査ビームＬ４２を生成するように構成されてもよい。
【００３９】
いくつかの実施形態において、スクリーン４６０は、フォトクロミック材料を塗布され、走査ミラー４３０からの走査ビームＬ４２に応じて調整される可視光透過特性を使用して、物体１５０などの物体のホログラムを形成するように構成されてもよい。例えば、スクリーン４６０は、透明層に形成されるフォトクロミック材料を含んでもよい。透明層は、石英ガラス材料、ホウケイ酸ガラス材料、透明プラスチック材およびＰＥＴ（ポリエチレンテレフタレート）の少なくとも１つから形成されてもよい。フォトクロミック材料は、不純物がドーピングされるＫＴａＯ３、および不純物がドーピングされるＳｒＴｉＯ３の少なくとも１つを含んでもよい。フォトクロミック材料にドーピングされる不純物は、ニッケル（Ｎｉ）および／または鉄（Ｆｅ）を含んでもよい。加えて、または代わりに、フォトクロミック材料は、ＨＡＢＩ（ヘキサアリールビイミダゾール）などの有機フォトクロミック材料を含んでもよい。
【００４０】
いくつかの実施形態において、ＮｉおよびＦｅがドーピングされるＫＴａＯ３などのフォトクロミック材料を塗布されたスクリーン４６０が走査ビームＬ４２によって照射される場合、フォトクロミック材料の電子は、走査ビームＬ４２によって励起され、不純物Ｎｉおよび酸素の空孔によって形成される複合欠陥にトラップされることができる。詳細には、１つまたは２つの電子は、中心（Ｎｉ３＋−ＶＯ）における、酸素空孔ＶＯを伴うＮｉイオンの複合欠陥にトラップされてもよく、それによって、複合欠陥（Ｎｉ３＋−ＶＯ）は、（Ｎｉ３＋−ＶＯ−２ｅ）または（Ｎｉ３＋−ＶＯ−ｅ）になる。トラップされた電子を有する複合欠陥は、可視スペクトルを有する光に対して十分に広い吸収特性を示すことができる。特に、（Ｎｉ３＋−ＶＯ−２ｅ）は、６３０ｎｍの波長において光吸収ピークを有し、広い吸収帯を有する。他方、鉄イオン（Ｆｅ３＋）は孔をトラップしてＦｅ４＋を送出し、不純物の中心は、約４４０ｎｍにおいてピークを有する吸収帯を有している。従って、ＮｉおよびＦｅの両方がドーピングされるＫＴａＯ３は、紫外線ビームまたは電子ビームなどの走査ビームＬ４２が照射される場合、赤、緑、および青色のスペクトルを含む全可視スペクトルにわたって広い吸収帯を示す。
【００４１】
上記の特性を有する、フォトクロミック材料を塗布されたスクリーン４６０において、ホログラムは、走査ビームＬ４２などの虚像光ビームのさまざまな輝度に応じて、フォトクロミック材料の可視光透過率を変えることによって形成されることができる。すなわち、ホログラム画像信号に対応する物体の像は、変化する可視光透過率を表している像の形式で、スクリーン４６０上に形成されることができる。
【００４２】
いくつかの実施形態において、ホログラム像再生装置４００は再生光源ユニット４１０をさらに含んでもよく、それは複数の再生光源４１０ａ〜４１０ｎを含んでもよい。再生光源４１０ａ〜４１０ｎのそれぞれは、可視のレーザビームなどの異なる領域の波長に対応する、再生光ビームをスクリーン４６０の方に照射するように構成されてもよい。例えば、複数の再生光源４１０ａ〜４１０ｎは、赤いレーザ光源、緑のレーザ光源、および青いレーザ光源を含んでもよい。
【００４３】
いくつかの実施形態において、ホログラム像生成装置４００の再生光源ユニット４１０は、複数の再生光源４１０ａ〜４１０ｎからの再生光ビームを受信し、次に、受信された光ビームのそれぞれを（例えば、作動またはスイッチング動作を介して）選択的に通過させ、選択された光ビームＬ４３を提供するように構成された、シャッター４１２をさらに含んでもよい。再生光源ユニット４１０が、３つのカラー光源、例えば、赤いレーザ光源、緑のレーザ光源、および青いレーザ光源を含む場合において、シャッター４１２は、赤いレーザ光、緑のレーザ光、および青いレーザ光の１つを通過させるように、シーケンシャルに切替えられてもよい。シャッター４１２によって提供された光ビームＬ４３は、スクリーン４６０に伝送されることができる。スクリーン４６０に形成されるホログラムが再生光ビームＬ４３によって照射される際に、物体の像は再生されることができる。
【００４４】
いくつかの実施形態において、ホログラム像再生装置４００は、１つまたは複数のシャッター４１２、虚像光源４２０、および／または走査ミラー４３０の動作を制御するように構成された、コントローラ４４０をさらに含んでもよい。コントローラ４４０は、ホログラム像再生装置４００の動作の際にコントローラ１７０によって使用されることができる、制御プログラムを記憶するように構成されてもよい。加えて、ホログラム像再生装置４００は、ホログラム像生成装置１００、２００、または３１０などの外部装置から、物体のホログラムを表す入力信号Ｓ４２を受信するように構成された、受信機ユニット４５０を含んでもよい。
【００４５】
光源ユニット４１０が、３つのカラー光源、例えば、赤いレーザ光源、緑のレーザ光源、および青いレーザ光源を含む場合において、コントローラ４４０は、以下のようにホログラム像再生装置４００の動作を制御するように構成されてもよい。シャッター４１２は、赤いレーザ光源から赤いレーザ光Ｌ４３を（例えば、スイッチング動作を介して）選択的に通過させるように構成されてもよい。赤いレーザ光Ｌ４３は、スクリーン４６０に形成されるホログラムに入射し、従って、物体の赤い色の像は再生されることができる。さらに、シャッター４１２は、緑のレーザ光源から緑のレーザ光Ｌ４３を選択的に通過させるように構成されてもよい。物体の緑色の像は、上記の説明と同じ様態で、スクリーン４６０に再生されることができる。同様に、シャッター４１２は、青いレーザ光源から青いレーザ光Ｌ４３を選択的に通過させるように構成されてもよく、物体の青い色の像はスクリーン４６０に再生されることができる。
【００４６】
いくつかの実施形態において、３つのカラーのホログラム像のそれぞれを再生するための上記の動作は、約１から５ミリ秒まで範囲において実行されてもよい。さらに、これらの動作は、ホログラム像再生装置４００がオフになるまで、繰り返し実施されてもよい。上記の実施形態において、シャッター４１２は、高速度で複数の再生光源４１０ａ〜４１０ｎの１つを選択的に通過させるように制御できるので、ホログラム像再生装置４００は、例えば、フィールドシーケンシャルカラーシステムで、カラー立体ホログラム像を再生するために効果的に利用できる。
【００４７】
図４において、１つの虚像光源４２０および対応する走査ミラー４３０が、説明のために例示される。しかしながら、虚像光源および走査ミラーの数は、それに限定されなくてもよい。いくつかの例において、虚像光源および走査ミラーの２つ以上の対は、所望の実装に応じて配置されてもよい。
【００４８】
図５は、本明細書に説明される少なくともいくつかの実施形態に従って構成される、別の説明例としてのホログラム像再生装置の透視図を概略的に示す。ホログラム像再生装置５００は、スクリーン５６０が直方体形状で配置されることを除いて、図４に示すようなホログラム像再生装置４００と同様な構成を有する。図示されるように、スクリーン５６０は、フォトクロミック材料を塗布されることができる直方体形状の内部表面を有してもよい。代替の実施形態において、スクリーン５６０は、円筒状または他の多角形角柱などの任意の他の好適な形状の内部表面を有してもよい。
【００４９】
いくつかの実施形態において、スクリーン５６０は、走査ミラー４３０からの走査ビームＬ４２に応じて調整できる可視光透過特性を使用して、物体１５０などの物体のホログラムを形成するように構成されてもよい。例えば、スクリーン５６０は、透明層に形成されるフォトクロミック材料を含んでもよい。透明層は、石英ガラス材料、ホウケイ酸ガラス材料、透明プラスチック材およびＰＥＴ（ポリエチレンテレフタレート）の少なくとも１つから形成されてもよい。フォトクロミック材料は、不純物がドーピングされるＫＴａＯ３、および不純物がドーピングされるＳｒＴｉＯ３の少なくとも１つを含んでもよい。フォトクロミック材料にドーピングされる不純物は、ニッケル（Ｎｉ）および／または鉄（Ｆｅ）を含んでもよい。加えて、または代わりに、フォトクロミック材料は、ＨＡＢＩ（ヘキサアリールビイミダゾール）などの有機フォトクロミック材料を含んでもよい。
【００５０】
図４に示されるホログラム像再生装置４００と同様に、装置５００は、ホログラム画像信号に基づいて、紫外線レーザビームまたは電子ビームなどの虚像光ビームＬ４１を生成するように構成された、虚像光源４２０を含んでもよい。いくつかの実施形態において、ホログラム画像信号は、図１から図３のホログラム像生成装置１００、２００、または３１０などのホログラム像生成装置から提供されてもよい。従って、生成された虚像光ビームＬ４１は、ホログラム画像信号のレベルに基づいて、例えば、ホログラム画像信号によって表されるカラー成分の値に基づいて変化することができる輝度を有してもよい。虚像光源４２０は、生成された虚像光ビームＬ４１を走査ミラー４３０に照射するように構成されてもよい。走査ミラー４３０は、虚像光ビームを反射し、スクリーン５６０に照射される走査ビームＬ４２を生成するように構成されてもよい。
【００５１】
いくつかの実施形態において、ホログラム像再生装置５００は再生光源ユニット４１０をさらに含んでもよく、それは再生光源４１０ａ〜４１０ｎなどの複数の再生光源（図示せず）を含んでもよい。再生光源のそれぞれは、可視のレーザビームなどの異なる領域の波長に対応する、再生光ビームをスクリーン５６０に照射するように構成されてもよい。例えば、複数の再生光源は、赤いレーザ光源、緑のレーザ光源、および青いレーザ光源を含んでもよい。
【００５２】
いくつかの実施形態において、ホログラム像生成装置５００の再生光源ユニット４１０は、複数の再生光源からの再生光ビームを受信し、受信された光ビームのそれぞれを選択的に通過させ、選択された光ビームＬ４３を提供するように構成された、シャッター４１２などのシャッター（図示せず）をさらに含んでもよい。スクリーン５６０に形成されるホログラムが再生光ビームＬ４３によって照射される際に、物体の像は再生されることができる。
【００５３】
いくつかの実施形態において、ホログラム像再生装置５００は、１つまたは複数のシャッター、虚像光源４２０、および／または走査ミラー４３０の動作を制御するように構成された、コントローラ（図示せず）をさらに含んでもよい。コントローラ４４０は、ホログラム像再生装置５００の動作を制御する、制御プログラムを記憶するように構成されてもよい。加えて、ホログラム像再生装置５００は、ホログラム像生成装置１００、２００、または３１０などの外部装置から、物体のホログラムを表す入力信号を受信するように構成された、受信機ユニット（図示せず）を含んでもよい。
【００５４】
いくつかの実施形態において、複数カラーのホログラム像（例えば、赤、緑、および青のホログラム像）を再生するための動作は、図４に関する上記の説明と同様の様態でホログラム像生成装置５００によって実行されてもよい。カラーホログラム像のそれぞれを再生するためのそのような動作は、約１から５ミリ秒までの範囲において実施されてもよく、ホログラム像再生装置５００がオフになるまで、繰り返し実施されてもよく、またはそうでない場合、動作に際して無効にされる。上記の実施形態において、シャッターは、高速度で複数の再生光源の１つを選択的に通過させるように制御できるので、ホログラム像生成装置５００は、例えば、フィールドシーケンシャルカラーシステムで、カラー立体ホログラム像を再生するために効果的に利用できる。
【００５５】
図５において、１つの虚像光源４２０および対応する走査ミラー４３０が、説明のために例示される。しかしながら、虚像光源および走査ミラーの数は、それに限定されなくてもよい。いくつかの例において、４対の虚像光源および走査ミラーは、直方体形状のスクリーン５６０内の４つの内部表面に対応して配置されてもよい。
【００５６】
図５に説明されるように、スクリーン５６０は、直方体などの多角形角柱形状で配置されてもよい。あるいは、スクリーン５６０は、円筒状などのシリンダまたは任意の他の形の形状で配置されてもよい。さらに、走査ミラー４２０は、磁気作動、電気作動、または電磁作動などの任意の種類のメカニズムによって作動してもよく、走査ミラー４２０の作動は、走査ビームを導光するのに効果的である（例えば、作動は、走査ミラー４２０の表面で反射される虚像光ビームの方向の変化を容易にするだろう）。
【００５７】
図６は、本明細書に説明される少なくともいくつかの実施形態に従って、ホログラム像再生装置において使用されることができる、説明例としての走査ミラーの透視図を概略的に示す。図示されるように、走査ミラー６００は、ミラー部６３０および６４０が、それに沿って水平方向に回転するように作動することができる、垂直軸６１２、６１４、６１６、および６１８を含んでもよい。さらに、走査ミラー６００は、ミラー部６３０および６４０が、それに沿って垂直方向に回転するように作動することができる、水平軸６２２、６２４、６２６、および６２８を含んでもよい。
【００５８】
いくつかの実施形態において、ミラー部６３０および６４０の回転作動は、電気的、磁気的、または電磁的な力によって駆動されてもよく、それは、図５のホログラム像再生装置５００などのホログラム像再生装置から提供される電気的制御信号に基づいて、さらに生成されてもよい。いくつかの例において、走査ミラー６００は、ＭＥＭＳ（マイクロエレクトロメカニカルシステム）技術を使用して実装されてもよく、その場合、ミラー部６３０および６４０が、圧電力によって作用されてもよく、それは、ホログラム像再生装置から提供される電気的制御信号に基づいて、さらに生成されてもよい。
【００５９】
図７は、本明細書に説明される少なくともいくつかの実施形態に従って構成される、物体のホログラム像を生成するように適合された方法の例示的なフローチャートを例示する。図７における例示的な方法７００は、例えば、ホログラム像を生成するように適合されたプロセッサを含むコンピュータデバイスを使用して、実装されてもよい。
【００６０】
方法７００は、１つまたは複数のブロックＳ７１０、Ｓ７２０、Ｓ７３０、Ｓ７４０、Ｓ７５０および／またはＳ７６０によって例示されるように、１つまたは複数の動作、作動、または機能を含んでもよい。別々のブロックとして例示するが、さまざまなブロックは、所望の実装に応じて、付加的なブロックに分割され、より少ないブロックに組み合わされ、または取り除かれてもよい。いくつかのさらなる例において、さまざまな説明されるブロックは、シーケンシャル処理の代わりに並列処理として、またはそれらの組み合わせとして実装されてもよい。方法７００は、ブロックＳ７１０「異なる領域の波長に対応する複数の光ビームを、複数の光源によって生成する」で開始することができる。
【００６１】
ブロックＳ７１０において、複数の光ビームは複数の光源によって生成されてもよく、複数の光源のそれぞれは、異なる領域の波長に対応する光を生成するために動作可能である。図１および図２に示すように、複数の光源１１０ａ〜１１０ｎのそれぞれは、異なる領域の波長に対応する、可視のレーザ光ビームなどのコヒーレント光ビームを生成するように構成されてもよい。いくつかの実施形態において、光源１１０ａ〜１１０ｎは、赤いレーザ光源、緑のレーザ光源、および青いレーザ光源を含んでもよい。ブロックＳ７１０の後に、ブロックＳ７２０「複数の光ビームの１つをシャッターに選択的に通過させること」が続くことができる。
【００６２】
ブロックＳ７２０において、スイッチング動作は、複数の光ビームの１つをシャッターに選択的に通過させるために、シャッター（例えば、シャッターの動的な作動）によって実施されてもよい。図１および図２に例示するように、シャッター１１２は、複数の光源１１０ａ〜１１０ｎからの光ビームを受信し、受信された光ビームのそれぞれを選択的に通過させ、選択された光ビームＬ１を提供してもよい。複数の光源１１０ａ〜１１０ｎが、３つのカラー光源、例えば、赤いレーザ光源、緑のレーザ光源、および青いレーザ光源を含む場合において、シャッター１１２は、赤いレーザ光、緑のレーザ光、および青いレーザ光の１つを選択的に通過させてもよい。ブロックＳ７２０の後に、ブロックＳ７３０「シャッターから照射される光ビームを、ビームスプリッタによって、光ビームの第１の部分および第２の部分に分割する」が続くことができる。
【００６３】
ブロックＳ７３０において、シャッターから照射される光ビームは、ビームスプリッタによって、光ビームの第１の部分および第２の部分に分割されてもよい。それから、光ビームの第１の部分は物体の方へ伝送される。図１および図２に例示されるように、ビームスプリッタ１３０は、選択された光ビームＬ１を第１の光ビームＬ１３および第２の光ビームＬ１２に分割するように構成されてもよい。第１の光ビームＬ１３は、第１の光ビームＬ１３の少なくとも部分が物体光ビームＬ３を生成するために物体１５０によって散乱するように、物体１５０に照射されてもよい。ブロックＳ７３０の後に、ブロックＳ７４０「参照ビームを生成するために、ミラーユニットによって光ビームの第２の部分を受信して反射する」が続くことができる。
【００６４】
ブロックＳ７４０において、光ビームの第２の部分は、参照ビームを生成するために、ミラーユニットによって受信され、反射されてもよい。図１および図２に示すように、ミラーユニット１４０は、物体光ビームＬ３および参照光ビームＬ２が干渉パターンをイメージセンサアレイ１６０に形成するように、第２の光ビームＬ１２の少なくとも部分を反射させて参照光ビームＬ２を生成するように構成されてもよい。ブロックＳ７４０の後に、ブロックＳ７５０「干渉像をイメージセンサアレイによって検出する」が続くことができる。
【００６５】
ブロックＳ７５０において、参照ビームと、物体によって散乱する光ビームの第１の部分との間の干渉によって生じる干渉像は、イメージセンサアレイによって検出されてもよい。例えば、図１および図２に示すように、２つの光ビームＬ２およびＬ３がイメージセンサアレイ１６０の表面に到達する際に、光波は、干渉パターンを形成するのに有効な状態で、互いによって交わり、干渉することができる。交わる光波によって形成される干渉パターンは、物体１５０からの場面光が、本来の光源と干渉する様態を表すことができる。（例えば、イメージセンサアレイ１６０からの）イメージセンサは、干渉パターンの像を検出し、受信するように構成されてもよい。ブロックＳ７５０の後に、ブロックＳ７６０「検出された干渉パターンを、ビデオ信号生成器ユニットによって、画像信号に変換する」が続くことができる。
【００６６】
ブロックＳ７６０において、検出された干渉パターンは、ビデオ信号生成器ユニットによって画像信号に変換されてもよい。図１および２に図示されるように、ビデオ信号生成器ユニット１８０は、イメージセンサアレイ１６０によって検出される像を、複数の光源１１０ａ〜１１０ｎのそれぞれと関連する画像信号に変換してもよい。
【００６７】
いくつかの実施形態において、方法７００は、複数の光源から選択的に生成される各光ビームのために繰り返し実施されてもよい。例えば、複数の光源１１０ａ〜１１０ｎが、３つのカラー光源、例えば、赤いレーザ光源、緑のレーザ光源、および青いレーザ光源を含む場合において、方法７００は、赤、緑、および青いホログラム画像信号をシーケンシャルに生成するように繰り返し実施されてもよい。さらに、３つのカラーのホログラムビデオ信号のそれぞれを生成するための上記に説明された動作を含む方法７００は、約１から５ミリ秒までの範囲において実行されることができる。
【００６８】
図８は、本明細書に説明される少なくともいくつかの実施形態に従って構成される、物体のホログラム像を再生するように適合された方法の例示的なフローチャートを例示する。図８における例示的な方法８００は、ホログラム像を再生するように適合されたプロセッサを含む例えばコンピュータデバイスを使用して、実装されてもよい。
【００６９】
方法８００は、１つまたは複数のブロックＳ８１０、Ｓ８２０、Ｓ８３０、Ｓ８４０、Ｓ８５０および／またはＳ８６０によって例示されるように、１つまたは複数の動作、作動、または機能を含んでもよい。別々のブロックとして例示するが、さまざまなブロックは、所望の実装に応じて、付加的なブロックに分割され、より少ないブロックに組み合わされ、または取り除かれてもよい。いくつかのさらなる例において、さまざまな説明されるブロックは、シーケンシャル処理の代わりに並列処理として、またはそれらの組み合わせとして実装されてもよい。方法８００は、ブロックＳ８１０「物体のホログラムを表す入力信号を、受信機ユニットによって受信する」で開始することができる。
【００７０】
ブロックＳ８１０において、物体のホログラムを表す入力信号は、受信機ユニットによって受信されてもよい。例えば、図４および図５に示すように、受信機ユニット４５０は、例えば、１つまたは複数のネットワークを通って、ホログラム像生成装置から、物体のホログラムまたはホログラムの少なくとも部分を表す入力信号を受信してもよい。ブロックＳ８１０の後に、ブロックＳ８２０「入力信号に応じた虚像光ビームを虚像光源によって生成する」が続くことができる。
【００７１】
ブロックＳ８２０において、入力信号に応じた虚像光ビームは、虚像光源によって生成されてもよい。図４および図５に例示されるように、虚像光源４２０は、ホログラム画像信号に基づいて、紫外線レーザビームまたは電子ビームなどの虚像光ビームＬ４１を生成するように構成されてもよい。いくつかの実施形態において、ホログラム画像信号は、図１〜３のホログラム像生成装置１００、２００または３１０などのホログラム像生成装置から提供されてもよい。従って、生成された虚像光ビームＬ４１は、ホログラム画像信号のレベルに基づいて変化することができる輝度を有してもよい。虚像光源４２０は、生成された虚像光ビームＬ４１を走査ミラー４３０に照射するように構成されてもよい。ブロックＳ８２０の後に、ブロックＳ８３０「走査ビームを生成するために、走査ミラーによって虚像光ビームを受信して反射する」が続くことができる。
【００７２】
ブロックＳ８３０において、虚像光ビームは、走査ビームを生成するために、走査ミラーによって受信され、反射されてもよい。図４および図５に示すように、走査ミラー４３０は、虚像光ビームを受信し、反射し、スクリーン４６０に照射される走査ビームＬ４２を生成するように構成されてもよい。ブロックＳ８３０の後に、ブロックＳ８４０「走査ミラーからの走査ビームを、フォトクロミック材料を塗布されたスクリーンによって受信し、スクリーン上に物体のホログラムを形成する」が続くことができる。
【００７３】
ブロックＳ８４０において、走査ミラーからの走査ビームは、フォトクロミック材料を塗布されたスクリーンによって受信されてもよく、スクリーン上の物体のホログラムは、走査ビームに応じて、スクリーンの可視光透過特性の変化の結果として、形成されてもよい。例えば、図４および図５に示すように、フォトクロミック材料を塗布されたスクリーン４６０において、ホログラムは、走査ビームＬ４２などの虚像光ビームのさまざまな輝度に応じて、フォトクロミック材料の可視光透過率を変化させることによって形成されてもよい。すなわち、ホログラム画像信号に対応する物体の像は、さまざまな可視光透過率を表している像の形式で、スクリーン４６０に形成されることができる。ブロックＳ８４０の後に、ブロックＳ８５０「異なる領域の波長に対応する再生光ビームを、複数の再生光源によって生成する」が続くことができる。
【００７４】
ブロックＳ８５０において、異なる領域の波長に対応する再生光ビームは、複数の再生光源によって生成されてもよい。図４および図５に示すように、再生光源４１０ａ〜４１０ｎのそれぞれは、可視レーザビームなどの異なる領域の波長に対応する再生光ビームをスクリーン４６０に放射するように構成されてもよい。例えば、複数の再生光源４１０ａ〜４１０ｎは、赤いレーザ光源、緑のレーザ光源、および青いレーザ光源を含んでもよい。ブロックＳ８５０の後に、ブロックＳ８６０「複数の再生光源からの再生光ビームの１つを、シャッターによって選択的に通過させ、スクリーンに照射する」が続くことができる。
【００７５】
ブロックＳ８６０において、再生光ビームはシャッターによって複数の再生光源から受信されてもよく、再生光ビームの１つは、物体のホログラム像を再生するために、シャッターに選択的に通過させ、スクリーンに照射してもよい。例えば、図４および図５に例示されるように、シャッター４１２は、複数の再生光源４１０ａ〜４１０ｎから再生光ビームを受信し、次に、受信された光ビームのそれぞれを選択的に通過させ、選択された光ビームＬ４３を提供するように構成されてもよい。光源ユニット４１０が３つのカラー光源、例えば、赤いレーザ光源、緑のレーザ光源、および青いレーザ光源を含む場合、シャッター４１２は、赤いレーザ光、緑のレーザ光、および青いレーザ光の１つを通過させるために、シーケンシャルに切替えられてもよい。シャッター４１２によって提供される光ビームＬ４３は、スクリーン４６０に伝送されてもよい。スクリーン４６０に形成されるホログラムが再生光ビームＬ４３によって照射される際に、物体の像は再生されることができる。
【００７６】
いくつかの実施形態において、方法８００は、複数の再生光源から選択的に生成された各再生光ビームのために繰り返し実施されてもよい。例えば、複数の再生光源４１０ａ〜４１０ｎが、３つのカラー光源、例えば、赤いレーザ光源、緑のレーザ光源、および青いレーザ光源を含む場合において、方法８００は、赤、緑、および青いホログラム像をシーケンシャルに再生するように繰り返し実施されてもよい。さらに、方法８００の上記の動作は、約１から５ミリ秒までの範囲において実行されてもよい。
【００７７】
当業者は、本明細書に開示された、このおよび他の方法について、方法で実施される機能が、異なる順序で実装されてもよいことを理解するだろう。さらにその上、概説されたステップおよび動作は、例として単に提供され、かつ、ステップおよび動作のいくつかは、開示された実施形態の本質を損なうことなく、任意選択でき、より少ないステップおよび動作に組み合わされ、または付加的なステップおよび動作に拡大されてもよい。
【００７８】
図９は、本明細書に説明される少なくともいくつかの実施形態に従って構成され、物体のホログラム像を生成しかつ／または再生する方法を実施するように構成可能な、例示的なコンピュータシステムを例示している概略ブロック図を示す。図９に示すように、コンピュータ９００は、プロセッサ９１０、メモリ９２０、および１つまたは複数のドライブ９３０を含んでもよい。コンピュータ９００は、従来のコンピュータシステム、組込み式制御コンピュータ、ラップトップ、もしくはサーバコンピュータ、モバイルデバイス、セットトップボックス、キオスク、車両情報システム、携帯電話、カスタマイズされたマシンまたは他のハードウェアプラットフォームとして実装されてもよい。
【００７９】
ドライブ９３０およびそれに付随するコンピュータ記憶媒体は、コンピュータ可読命令、データ構造、プログラムモジュール、および他のデータの記憶装置をコンピュータ９００に提供してもよい。ドライブ９３０は、ホログラムイメージングシステム９４０、オペレーティングシステム（ＯＳ）９５０、およびアプリケーションプログラム９６０を含んでもよい。ホログラムイメージングシステム９４０は、図１から図８に関して上記に説明されるような様態で、ホログラム像生成装置１００、２００、または３１０、および／または、ホログラム像再生装置３５０、４００、または５００を制御するように適合されていてもよい。
【００８０】
コンピュータ９００は、ユーザがコマンドおよびデータを入力してもよいユーザ入力デバイス９８０を、さらに含んでもよい。入力デバイスは、電子デジタイザ、カメラ、マイクロホン、キーボード、および、通常、マウス、トラックボール、またはタッチパッドと呼ばれるポインティングデバイスを含むことができる。他の入力デバイスは、ジョイスティック、ゲームパッド、衛星アンテナ、スキャナ等を含んでもよい。
【００８１】
これらの、および他の、入力デバイスは、システムバスに連結されるユーザ入力インタフェースを通してプロセッサ９１０に連結できるが、パラレルポート、ゲームポート、または汎用シリアルバス（ＵＳＢ）などの他のインタフェース、および、バス構造によって連結されてもよい。コンピュータ９００のようなコンピュータは、ディスプレイデバイスなどの他の周辺出力デバイスをさらに含んでもよく、それは、出力周辺インタフェース９８５等を通して連結されてもよい。
【００８２】
コンピュータ９００は、ネットワーク化された環境において、ネットワークインタフェース９９０に連結される遠隔コンピュータなどの１つまたは複数のコンピュータに対する論理的な接続を使用して、動作してもよい。遠隔コンピュータは、パーソナルコンピュータ、サーバー、ルータ、ネットワークＰＣ、ピアデバイス、またはその他の共通のネットワークノードであってもよく、コンピュータ９００に関連して上記に説明される、多くのまたはすべての素子を含むことができる。
【００８３】
ネットワーク環境では、オフィス、企業の広域ネットワーク（ＷＡＮ）、ローカルエリアネットワーク（ＬＡＮ）、イントラネット、およびインターネットが普通である。ＬＡＮまたはＷＬＡＮネットワーク環境において使用される場合、コンピュータ９００はネットワークインタフェース９９０またはアダプタを通してＬＡＮに連結されてもよい。ＷＡＮネットワーク環境において使用される場合、コンピュータ９００は、通常、インターネットまたはネットワーク９９５などのＷＡＮにわたって通信を確立するためのモデムまたは他の手段を含む。ＷＡＮは、インターネット、図示されているネットワーク９９５、さまざまな他のネットワーク、またはそれらの任意の組み合わせを含んでもよい。コンピュータ間に通信リンク、リング、メッシュ、バス、クラウド、またはネットワークを確立する他のメカニズムが使用されてもよいことは理解されるだろう。
【００８４】
いくつかの実施形態において、コンピュータ９００は、ネットワーク環境に連結されてもよい。コンピュータ９００は、物理的なコンピュータ可読記憶媒体、または、ドライブ９３０、または他の記憶デバイスと関連する媒体の、１つまたは複数のインスタンスを含んでもよい。システムバスによって、プロセッサ９１０は、コンピュータ可読記憶媒体へ／からコードおよび／またはデータを読むことができる。媒体は、限定はされないが、半導体、磁性材料、光学媒体、電子的な記憶装置、電気化学的な記憶装置、または任意の他のそのような記憶技術を含む、任意の好適な技術を使用して実装される、記憶素子の形式の装置を意味することができる。媒体は、ＲＡＭ、ＲＯＭ、フラッシュ、または他のタイプの揮発性または不揮発性記憶装置技術と特徴づけられるかを問わず、メモリ１０２０と関連する構成要素を意味してもよい。媒体は、記憶装置９３０を実装するかそうでないかを問わず、２次記憶装置をさらに意味してもよい。ハードドライブ実装は、固体素子として特徴づけられてもよく、または符号化情報を磁気的に記憶する回転媒体を含んでもよい。
【００８５】
プロセッサ９１０は、任意の数のトランジスタまたは他の回路素子から構成されてもよく、それは任意の数のステートを個別にまたは集合的に仮定してもよい。より詳細には、プロセッサ９１０は、ステートマシンまたは有限ステートマシンとして動作してもよい。そのようなマシンは、実行可能な命令をロードすることにより、第２のマシンまたは特定のマシンに変換されることができる。これらのコンピュータ実行可能命令は、プロセッサ９１０がステート間をどのように遷移するかを特定することによって、プロセッサ９１０を変換してもよく、それによって、プロセッサ９１０を構成するトランジスタまたは他の回路素子を第１のマシンから第２のマシンに変換する。ユーザ入力デバイス９８０、ネットワークインタフェース９９０、他の周辺機器、他のインタフェース、または１つまたは複数のユーザ、もしくは他の行為者からの入力を受信することによって、どちらかのマシンのステートも、さらに変換されてもよい。どちらかのマシンは、プリンタ、スピーカ、ビデオディスプレイ、またはその他の方法などのさまざまな出力装置のステート、または、さまざまな物理的特性を、さらに変換してもよい。
【００８６】
図１０は、本明細書に説明される少なくともいくつかの実施形態に従って構成され、物体のホログラム像を生成するために利用できる、コンピュータプログラム製品を例示する。プログラム製品１０００は、信号担持媒体１００２を含んでもよい。信号担持媒体１００２は、例えば、プロセッサによって実行される場合に、図１から図８に関して上記の説明される機能を提供することができる、１つまたは複数の命令１００４を含んでもよい。例として、命令１００４は、以下を含んでもよい：異なる領域の波長に対応する複数の光ビームを、複数の光源によって生成するための、１つまたは複数の命令；複数の光ビームの１つをシャッターに選択的に通過させるために、シャッターによってスイッチング動作を実施するための、１つまたは複数の命令；光ビームの第１の部分が物体に照射するように、シャッターから照射される光ビームを、ビームスプリッタによって、光ビームの第１の部分および第２の部分に分割するための、１つまたは複数の命令；参照ビームを生成するために、光ビームの第２の部分を、ミラーユニットによって受信して反射するための、１つまたは複数の命令；参照ビームと、物体によって散乱する光ビームの第１の部分との間の干渉によって生じる干渉像を、イメージセンサアレイによって検出するための、１つまたは複数の命令；または、検出された干渉像を、ビデオ信号生成器ユニットによって画像信号に変換するための、１つまたは複数の命令。従って、例えば、図１および図２を参照して、ホログラム像生成装置１００または２００は、命令１００４に応じて図７に示される１つまたは複数のブロックを引き受けてもよい。
【００８７】
図１１は、本明細書に説明される少なくともいくつかの実施形態に従って構成され、物体のホログラム像を再生するために利用できる、コンピュータプログラム製品を例示する。プログラム製品１１００は、信号担持媒体１１０２を含んでもよい。信号担持媒体１１０２は、例えば、プロセッサによって実行される場合に、図１から図８に関して上記の説明される機能を提供することができる、１つまたは複数の命令１１０４を含んでもよい。例として、命令１１０４は、以下の少なくとも１つを含んでもよい：物体のホログラムを表す入力信号を、受信機ユニットによって受信するための、１つまたは複数の命令；入力信号に応じた虚像ビームを、虚像光源によって生成するための、１つまたは複数の命令；走査ビームを生成するために、虚像光ビームを、走査ミラーによって受信して反射するための、１つまたは複数の命令；走査ミラーからの走査ビームを、フォトクロミック材料を塗布されたスクリーンによって受信し、走査ビームに応じて、スクリーンの可視光透過特性の変化の結果として、スクリーン上の物体のホログラムを形成するための、１つまたは複数の命令；異なる領域の波長に対応する再生光ビームを、複数の再生光源によって生成するための、１つまたは複数の命令；または、複数の再生光源からの再生光ビームを、シャッターによって受信して、物体のホログラム像を再生するために、再生光ビームの１つをシャッターに選択的に通過させ、スクリーンに照射するための、１つまたは複数の命令。従って、例えば、図４および図５を参照して、ホログラム像再生装置４００または５００は、命令１１０４に応じて図８に示される１つまたは複数のブロックを引き受けてもよい。
【００８８】
いくつかの実装において、信号担持媒体１００２または１１０２は、限定はされないが、ハードディスクドライブ、コンパクトディスク（ＣＤ）、ディジタルビデオディスク（ＤＶＤ）、デジタルテープ、メモリ等などのコンピュータ可読媒体１００６または１１０６を含んでもよい。いくつかの実装において、信号担持媒体１００２または１１０２は、限定はされないが、メモリ、リード／ライト（Ｒ／Ｗ）ＣＤ、Ｒ／ＷＤＶＤ等などの記録可能媒体１００８または１１０８を含んでもよい。いくつかの実装において、信号担持媒体１００２または１１０２は、限定はされないが、デジタルおよび／またはアナログ通信媒体（例えば、光ファイバケーブル、導波管、有線の通信リンク、無線通信リンク等）などの通信媒体１０１０または１１１０を含んでもよい。従って、例えば、プログラム製品１０００または１１００は、ＲＦ信号担持媒体１００２または１１０２によって、ホログラム像生成装置１００または２００、またはホログラム像再生装置４００または５００の１つまたは複数のモジュールに伝達されてもよく、信号担持媒体１００２または１１０２は、ワイヤレス通信媒体１０１０または１１１０（例えば、ＩＥＥＥ８０２．１１規格に準拠しているワイヤレス通信媒体）によって、伝達される。
【００８９】
本開示は、さまざまな態様の説明として意図されている、このアプリケーションにおいて説明される特定の実施形態に関して限定されるべきでない。当業者には明らかであるように、多くの修正および変更は、その趣旨および範囲から逸脱することなく行われてもよい。本明細書に列挙されるものに加えて、本開示の範囲内の機能的に等価な方法および装置は、前記の説明から当業者にとって明らかだろう。そのような修正および変更は、添付の特許請求の範囲内に収まることが意図される。本開示は、そのような請求項の権利が与えられる等価物の全範囲とともに、単に添付の特許請求の範囲の用語によって限定されるべきである。本開示が、特定の方法、試薬、合成物、組成物、または生体系に限定されず、それが、もちろん変更可能であることは理解されるべきである。本明細書に使用される用語が、特定の実施形態だけを説明する目的のためであって、限定することを意図されないことも理解されるべきである。
【００９０】
本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００９１】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００９２】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００９３】
加えて、本開示の特徴または態様がマーカッシュグループに関して説明される場合に、当業者は、本開示がマーカッシュグループのメンバーの任意の個々のメンバーまたはサブグループに関して、さらにそれによって説明されることを認識するであろう。
【００９４】
当業者には理解されるように、記載された明細書を提供することに関して、などの任意のかつすべての目的のために、本明細書に開示されるすべての範囲は、任意のかつすべての可能な部分的な範囲、およびその部分的な範囲の組合せをさらに含む。任意の記載された範囲は、同一の範囲が、少なくとも等しい半分、３分の１、４分の１、５分の１、１０分の１などに分解されることを十分に説明し、可能にするとして、容易に認識されることができる。非限定的な例として、本明細書に述べられる各範囲は、下部の３分の１、中央の３分の１、および上部の３分の１、などに容易に分解されることができる。当業者には理解されるように、「まで」、「少なくとも」等などのすべての用語は、列挙される数を含み、上記に述べられるように、次に部分的な範囲に分解できる範囲を意味する。最後に、当業者には理解されるように、範囲は、それぞれ個々のメンバーを含む。
【００９５】
前述から、本開示のさまざまな実施形態が、説明のために本明細書において記載され、かつ、さまざまな修正が、本開示の範囲および趣旨から逸脱することなく、行われてもよいことは理解されるだろう。従って、本明細書に開示されるさまざまな実施形態は、限定することを意図されることなく、真の範囲および趣旨が次の請求項によって示されている。
【図１】
0006261717.tif 000002
【図２】
0006261717.tif 000003
【図３】
0006261717.tif 000004
【図４】
0006261717.tif 000005
【図５】
0006261717.tif 000006
【図６】
0006261717.tif 000007
【図７】
0006261717.tif 000008
【図８】
0006261717.tif 000009
【図９】
0006261717.tif 000010
【図１０】
0006261717.tif 000011
【図１１】
0006261717.tif 000012